(57)【特許請求の範囲】
【請求項１】
電動工具の本体部に設けた固定レバーと、該固定レバーに対して傾動可能に設けた可動レバーを備え、該両レバーを把持して前記可動レバーを前記固定レバー側に傾動操作するハンドルであって、
前記可動レバーの傾動操作に伴って前記固定レバーの端縁に対して相対移動する前記可動レバーの対向面に、該可動レバーの傾動方向に延びる突条を多数並列配置する一方、前記固定レバーの端縁に前記突条に噛み合う多数の凸部を設けて、前記固定レバーの端縁と前記可動レバーの対向面との間に形成される隙間の口元形状を多数の凹凸形状が短周期で繰り返される波形に屈曲させたことを特徴とするハンドル。
【請求項２】
請求項１記載のハンドルであって、突条は角形の断面形状を有する一方、凸部が角形を有して、隙間の口元形状が直線成分を主体とする凹凸形状を有するハンドル。
【請求項３】
請求項１または２記載のハンドルであって、隙間の口元形状が５ｍｍ〜１０ｍｍの短周期で凹凸形状が繰り返される波形を有するハンドル。
【発明の詳細な説明】
【０００１】
【発明の属する技術分野】
この発明は、例えばヘッジトリマと称される生け垣バリカン等の電動工具に好適なハンドルに関する。
【０００２】
【従来の技術】
例えば、上記ヘッジトリマは、本体部の前側と後側に２つのハンドルを備えており、一方の手で前側のフロントハンドルを把持し、他方の手で後側のメインハンドルを把持し、それぞれのハンドルに設けたスイッチレバーを同時にオン操作したときにのみ本体部に内蔵したメインスイッチがオンして該本体部が起動する構成となっており、これにより不用意な誤作動を防止している。
図７は、フロントハンドル３０の上部を一方の手Ｈで把持した様子を示している。一般に、上記フロントハンドル３０は、本体部に固定した固定レバー３１と、該固定レバー３１に対して前後に傾動する可動レバー３２を有しており、一方の手Ｈで固定レバー３１および可動レバー３２の双方を把持しつつその握りを強くして可動レバー３２を固定レバー３１側（図７において右方）へ傾動させることによりオン操作する構成となっている。なお、図示は省略したが固定レバー３１と可動レバー３２との間には圧縮ばねが介装されており、これにより可動レバー３２は、固定レバー３１から離脱する方向にばね付勢されている。
【０００３】
【発明が解決しようとする課題】
このようなフロントハンドル３０において、従来使用者は、可動レバーを固定レバー側に傾動操作する際に、該可動レバーと固定レバーとの間に把持した手Ｈの皮膚Ｓ（肉）を噛み込まないよう注意しつつ操作を行う必要があり、この点で従来のフロントハンドル３０は操作性が良くなかった。図７では、フロントハンドル３０を把持した手Ｈの皮膚Ｓが固定レバー３１と可動レバー３２との隙間Ｄに噛み込まれた状態が示されている。
本発明は、電動工具のハンドルであって、固定レバーに対して可動レバーを傾動操作する形態のハンドルにおいて、傾動操作時に固定レバーと可動レバーとの間の隙間に手の皮膚を噛み込むおそれがなく、その結果操作性に優れたハンドルを提供することを目的とする。
【０００４】
【課題を解決するための手段】
このため、本発明は前記各請求項に記載した構成のハンドルとした。
請求項１記載のハンドルによれば、固定レバーの端縁と可動レバーの対向面との間に形成される隙間の口元形状が多数の凹凸形状が短周期で繰り返される波形に屈曲しているので、当該ハンドルを把持して可動レバーを傾動操作した時に、把持した手の皮膚がこの隙間に噛み込まれにくくなり、これにより使用者は皮膚の噛み込みを心配することなくハンドルを操作できるので当該ハンドルの操作性を向上させることができる。
請求項２記載のハンドルによれば、凹凸形状がなだらかな曲線形状を有する場合に比してより効率よく皮膚の噛み込みを防止することができる。
請求項３記載のハンドルによれば、最も効果的に皮膚噛み込み防止機能を発揮させることができる。
【０００５】
【発明の実施の形態】
次に、本発明の実施形態を図１〜図６に基づいて説明する。図１は、電動工具の一例としてのヘッジトリマを示している。ヘッジトリマの動作機構等の基本的な構成については従来構成に比して特に変更を要しないのでその説明を省略する。
図１に示すようにこのヘッジトリマ１は、本体部２と、該本体部２の後部に設けたメインハンドル３と、本体部２の前部に設けたフロントハンドル４と、本体部２の前部から前方へ突き出すように設けたブレード５を備えている。メインハンドル３は、本体部２の後面上部から後方へ延びるアッパーハンドル３ａと、本体部２の後面下部から後方へ延びる円環形状のロアハンドル３ｂを有している。アッパーハンドル３ａの下面側にはアッパースイッチレバー３ｃが配置され、ロアハンドル３ｂの内周側にはロアスイッチレバー３ｄが配置されている。アッパースイッチレバー３ｃは、アッパーハンドル３ａを把持した手で傾動させることによりオン操作され、ロアスイッチレバー３ｄはロアハンドル３ｂを把持した手で傾動させることによりオン操作される。アッパーハンドル３ａの後端部には電源コード３ｅが取り込まれている。
【０００６】
フロントハンドル４は、本体部２の前面下部に固定して固定レバー１０と、該固定レバー１０の後側において前後に傾動可能に設けた可動レバー１１を備えている。固定レバー１０は図示するように略Ｕ字形をなし、本体部２の前面下部片側から斜め上方へ延びて、該本体部２の前面下部他方側（図１では本体部２に隠れている）に至っている。
可動レバー１１も略Ｕ字形をなし、固定レバー１０にほぼ沿って配置されており、その下端側を傾動中心として傾動可能に支持されている。この可動レバー１１は固定レバー１０から遠ざかる方向（図２において左方）にばね付勢されている。この固定レバー１０と可動レバー１１（フロントハンドル４）を片手で把持して、可動レバー１１をばね付勢力に抗して固定レバー１０側（前方）へ傾動させることによりオン操作される。このように、共にＵ字形の枠形状を有する固定レバー１０と可動レバー１１は、それぞれ当該ヘッジトリマ１の幅方向に沿った上部の横枠部と、上下に沿った左右２つの縦枠部を有している。
【０００７】
使用者は、一方の手でメインハンドル３のアッパーハンドル３ａまたはロアハンドル３ｂを把持し、他方の手でフロントハンドル４を把持して、アッパースイッチレバー３ｃまたはロアスイッチレバー３ｄをオン操作し、さらに可動レバー１１をオン操作することにより、本体部２に内臓したメインスイッチがオンし、これにより該本体部２に内臓した駆動モータが起動してブレード５が作動する。このように、当該ヘッジトリマ１を使用するには両手操作を必要とすることにより、その不用意な誤作動が防止されるようになっている。なお、上記メインスイッチや駆動モータ等を含む駆動機構については、説明を省略する。
フロントハンドル４の前側には、該フロントハンドル４の前方を遮蔽するようにガードプレート６が配置されている。このガードプレート６により、刈り込み作業により飛散する生け垣等の切れ端が、フロントハンドル４を把持した手あるいは使用者側に飛散しないようになっている。
【０００８】
次に、図２に示すようにフロントハンドル４の固定レバー１０は断面Ｕ字形を有しており、このＵ字形部の内側へ可動レバー１１が入り込んだ状態で、該可動レバー１１が図示左右方向に傾動する。固定レバー１０の外周側縁部１０ａと、該外周側縁部１０ａに対向する、可動レバー１１の外周面１１ａ（図示上面）との間に僅かな隙間Ｄ１が形成されている。また、固定レバー１０の内周側縁部１０ｂと、該内周側縁部１０ｂに対向する、可動レバー１１の内周面１１ｂ（図示下面）との間にも僅かな隙間Ｄ２が形成されている。本実施形態において、この外周面１１ａおよび内周面１１ｂが特許請求の範囲に形成した「可動レバーの対向面」に相当する。
【０００９】
可動レバー１１の横枠部の外周面１１ａには、多数の歯形形状（断面台形）をなす突条１１ｃ〜１１ｃが形成されている。各突条１１ｃは、可動レバー１１の傾動方向（図２において左右方向）に延びており、この突条１１ｃ〜１１ｃが当該可動レバー１１の横枠部が延びる方向（図２において紙面に直交する方向、ヘッジトリマ１の幅方向））に沿ってほぼ等間隔で相互に並列に配置されている。この突条１１ｃ〜１１ｃにより当該可動レバー１１の横枠部の上面は連続する凹凸形状（いわゆるギザギザの状態）に形成されている。
本実施形態では、上記多数の突条１１ｃ〜１１ｃは、幅約５ｍｍで約５ｍｍの間隔をおいて合計１２個形成されている。但し、中央１箇所の間隔だけは約１０ｍｍに設定されている。
可動レバー１１側の突条１１ｃ〜１１ｃに対応して、固定レバー１０の横枠部の範囲であって外周側縁部１０ａの後端縁には、多数の凸部１０ｃ〜１０ｃが形成されている。各凸部１０ｃ，１０ｃ間に前記各突条１１ｃが入り込んでいる。すなわち、可動レバー１１側の突条１１ｃ〜１１ｃと、固定レバー１０側の凸部１０ｃ〜１０ｃが相互に噛み合った状態となっている。このため、横枠部における固定レバー１０の外周側縁部１０ａと、可動レバー１１の外周面１１ａとの間の隙間Ｄ１の口元形状は、図３に示すように後方から見て（図２において矢印（Ｒ）方向から見て）ほぼ５ｍｍ程度の間隔で上下に屈曲するギザギザ（凹凸形状）の波形に形成されている。
【００１０】
以上のように構成した本実施形態のフロントハンドル４によれば、使用者がフロントハンドル４を把持し、この把持した手の握りを強くすることにより可動レバー１１をばね付勢に抗してオン操作した時に、隙間Ｄ１の口元に手の皮膚を噛み込むことが防止される。
図７に示した従来構成のフロントハンドル３０によれば、固定レバー３１と可動レバー３２との間の隙間Ｄの口元形状がほぼ直線形状を有していたため、把持した手Ｈの皮膚Ｓを噛み込みやすかった。この点、本実施形態のフロントハンドル４によれば、固定レバー１０と可動レバー１１との間の隙間Ｄ１の口元形状が、多数の凹凸形状（ギザギザ形状）が繰り返される波形に形成されているため、可動レバー１１の移動に伴って該隙間Ｄ１の口元に手Ｈの皮膚Ｓが噛み込まれるということがなく、これにより当該フロントハンドル４の操作性を向上させることができる。
【００１１】
以上説明した実施形態には、種々変更を加えることができる。例えば、断面台形の突条１１ｃ〜１１ｃおよびこれに合わせて台形の凸部１０ｃを例示したが、図４に示すように、可動レバー１２側の断面矩形（四角形、角形）の突条１２ａ〜１２ａと固定レバー１３側の矩形（角形）の凸部１３ａ〜１３ａとの組み合わせにより隙間Ｄ３の口元形状を、直線成分を主体とする角形の凹凸形状が繰り返される波形に形成する構成としてもよい。また、図５に示すように可動レバー１４側の断面円弧形状の突条１４〜１４と固定レバー１５側の円弧形状の凸部１５〜１５との組み合わせにより隙間Ｄ４の口元形状を、直線成分ではなく曲線成分を主体とする円弧形状の凹凸が繰り返される波形に形成する構成としてもよい。隙間Ｄ３，Ｄ４の場合もほぼ５ｍｍ〜１０ｍｍ程度の間隔で凹凸形状が繰り返されるように設定することにより前記と同様の作用効果（把持した手Ｈの皮膚Ｓの噛み込み防止機能）を得ることができる。
なお、図６に示すように固定ハンドル１６の凸部１６ａおよび可動ハンドル１７の突条１７ａの間隔が２０ｍｍ程度、若しくはそれ以上であって、隙間Ｄ５の凹凸形状が２０ｍｍ程度若しくはそれ以上の長周期で繰り返されていわゆるギザギザとは言えない波形になると噛み込み防止機能は低下しあるいはなくなる。
【００１２】
また、フロントハンドル４の横枠部に噛み込み防止機能を設ける構成を例示したが、左右の縦枠部あるいは縦枠部と横枠部（フロントハンドルのほぼ全周）に同様の噛み込み防止機能を設ける構成としてもよい。
また、使用者側から見て可動ハンドル１１が固定ハンドル１０に対して手前側（後側）に位置するフロントハンドル４を例示したが、相互の位置が逆に配置されたハンドルに適用することもできる。可動ハンドルの固定ハンドルに対する傾動方向は、例示したように前方、後方である他、上方あるいは下方であってもよく様々な方向に傾動する可動ハンドルについて適用することができる。
さらに、電動工具の一例としてヘッジトリマを例示したが、固定ハンドルとこれに対して傾動する可動ハンドルを有し、両ハンドルを片手で把持して握りを強くすることで可動ハンドルを固定ハンドル側に傾動操作する形態のハンドルを備えた電動工具に広く適用することができる。
【図面の簡単な説明】
【図１】本発明の実施形態を示す図であり、ヘッジトリマを斜め後方から見た斜視図である。
【図２】図１の（２）−（２）線断面矢視図であって、フロントハンドルの縦断面図である。
【図３】図２の矢印（Ｒ）方向から見た図であり、固定ハンドルと可動ハンドルとの間の隙間の別形状を示す図である。
【図４】図２の矢印（Ｒ）方向から見た図であり、固定ハンドルと可動ハンドルとの間の隙間の別形状を示す図である。
【図５】図２の矢印（Ｒ）方向から見た図であり、固定ハンドルと可動ハンドルとの間の隙間の別形状を示す図である。
【図６】固定ハンドルと可動ハンドルとの間の隙間を示す図であって、大きな間隔の凹凸形状を有する隙間を示す図である。本図に示す間隔の凹凸形状では本願発明の噛み込み防止機能は発揮されない。
【図７】従来のハンドルを手で把持した状態を示す側面図である。本図に、把持した手の皮膚Ｓが固定ハンドルと可動ハンドルとの間の隙間Ｄに噛み込まれた状態が示されている。
【符号の説明】
１…ヘッジトリマ（電動工具）
２…本体部
３…メインハンドル、３ａ…アッパーハンドル、３ｂ…ロアハンドル
４…フロントハンドル
５…ブレード
１０…固定レバー、１０ａ…外周側縁部、１０ｃ…凸部
１１…可動レバー、１１ａ…外周面、１１ｃ…突条
Ｄ１…上側の隙間（可動レバー１１の外周面１１ａと固定レバー１０の外周側縁部１０ａとの間の隙間）
３０…従来の直線形状の隙間Ｄを有するフロントハンドル
３１…固定レバー、３２…可動レバー
Ｈ…把持した手
Ｄ３，Ｄ４…別形状の隙間であって、皮膚の噛み込み防止機能を有する隙間
Ｄ，Ｄ５…皮膚の噛み込み防止機能を有しない隙間
【図１】
0003833488.tif 000002
【図２】
0003833488.tif 000003
【図３】
0003833488.tif 000004
【図４】
0003833488.tif 000005
【図５】
0003833488.tif 000006
【図６】
0003833488.tif 000007
【図７】
0003833488.tif 000008